(57)【要約】【課題】  携帯品を持ち歩くユーザーの様々な使い方に柔軟に対応できるとともに、安定性にも優れたストラップを提供することにある。【解決手段】  携帯品用ストラップ単体１０は、２か所の折れ部２１，２２（第１折れ部２１，第２折れ部２２）を設けて三つ折りされる帯状の本体２０を備える。その本体２０には、三つ折りされて当接される面どうしを着脱自在に接合する面ファスナー３０及び第１折れ部２１に携帯品を取り付ける取付部４０（松葉ひも４１）を備える。また、本体２０には、第２折り部２２に折り返し片２５を備える。【選択図】  図２
0003191397.tif 000002
【実用新案登録請求の範囲】
【請求項１】
携帯品に取り付けて使用されるストラップであって、
２か所の折れ部を設けて三つ折りされる帯状の本体と、
その本体には、三つ折りされて当接される面どうしを着脱自在に接合する面ファスナー及び折れ部の一方に携帯品に取り付ける取付部と、
を備えたことを特徴とする携帯品用ストラップ単体。
【請求項２】
その本体には、取付部を備えていない折り部に折り返し片を備え、三つ折りした本体の端部をその折り返し片で当接するとともに当接する面どうしを着脱自在に接合する面ファスナーを備えたことを特徴とする請求項１記載の携帯品用ストラップ単体。
【請求項３】
取付部は、松葉ひも又はテープ状のひもであることを特徴とする請求項１又は２記載の携帯品用ストラップ単体。
【請求項４】
両端に輪状の連結部材を備えた長尺なベルト部材と、
取付部を備えていない折れ部の側にその連結部材を通してベルト部材と連結した請求項１，２又は３記載の携帯品用ストラップ単体と、
からなることを特徴とする携帯品用ストラップ複合体。
【請求項５】
取付部を備えた折れ部を折り曲げて二つ折りにした請求項１，２又は３記載の携帯品用ストラップ単体どうしを、互いに折り曲げた折り部で他方の二つ折りされた一方の長く延びる本体を挟むことで連結された携帯品用ストラップ複合体。
【考案の詳細な説明】
【技術分野】
【０００１】
本願考案は、カメラやビデオなどの携帯品に取り付けて使用されるストラップに関するものである。
【背景技術】
【０００２】
カメラやビデオなどの携帯品には、その持ち運びに便利なようにストラップ（ショルダーストラップなど）を取り付けることが多い。
そして、このようなストラップについては、これまでにも様々なものが開発されている（例えば、特許文献１など）。
【先行技術文献】
【特許文献】
【０００３】
【特許文献１】実用新案登録第３１８５６５７号公報
【考案の概要】
【考案が解決しようとする課題】
【０００４】
このような状況に対して、本願考案者は、携帯品を持ち歩くユーザーの様々な使い方に柔軟に対応できるとともに、安定性にも優れたストラップの提供を目的として、本願考案を完成するに至った。
【課題を解決するための手段】
【０００５】
本願考案の内容は、以下の通りである。
第１の考案は、携帯品に取り付けて使用されるストラップであって、２か所の折れ部を設けて三つ折りされる帯状の本体と、その本体には、三つ折りされて当接される面どうしを着脱自在に接合する面ファスナー及び折れ部の一方に携帯品に取り付ける取付部と、を備えたことを特徴とする携帯品用ストラップ単体である。
ここで「携帯品」には、カメラやビデオなどの持ち運びされるもの全てが含まれる（以下、同じ）。
第２の考案は、その本体には、取付部を備えていない折り部に折り返し片を備え、三つ折りした本体の端部をその折り返し片で当接するとともに当接する面どうしを着脱自在に接合する面ファスナーを備えたことを特徴とする同携帯品用ストラップ単体である。
第３の考案は、取付部が、松葉ひも又はテープ状のひもであることを特徴とする同携帯品用ストラップ単体である。
第４の考案は、両端に輪状の連結部材を備えた長尺なベルト部材と、取付部を備えていない折れ部の側にその連結部材を通してベルト部材と連結した上記第１〜第３の携帯品用ストラップ単体と、からなることを特徴とする携帯品用ストラップ複合体である。
第５の考案は、取付部を備えた折れ部を折り曲げて二つ折りにした上記第１〜第３の携帯品用ストラップ単体どうしを、互いに折り曲げた折り部で他方の二つ折りされた一方の長く延びる本体を挟むことで連結された携帯品用ストラップ複合体である。
【考案の効果】
【０００６】
本願考案によれば、以下のような効果を有する。
（１）２か所の折れ部を設けて三つ折りされる帯状の本体と、その本体には、三つ折りされて当接される面どうしを着脱自在に接合する面ファスナー及び折れ部の一方に携帯品に取り付ける取付部と、を備えたことで、このストラップ単体で携帯品に取り付けることができて、ハンドストラップとして使用される。
（２）ストラップの本体には、取付部を備えていない折り部に折り返し片を備え、三つ折りした本体の端部をその折り返し片で当接するとともに当接する面どうしを着脱自在に接合する面ファスナーを備えることで、ストラップが外れずに安定して使用できる。
（３）ストラップの取付部が、松葉ひも又はテープ状のひもであることで、携帯品の側に設けられた取付部に簡単かつ確実に取り付けることができる。
（４）両端に輪状の連結部材を備えた長尺なベルト部材と、取付部を備えていない折れ部の側にその連結部材を通してベルト部材と連結した当該携帯品用ストラップ単体と、からなることで、このストラップ単体と他の部材（ベルト部材など）とを組み合わせた複合体となり、ショルダーストラップやネックストラップ等として使用できる。
（５）取付部を備えた折れ部を折り曲げて二つ折りにした当該携帯品用ストラップ単体どうしを、互いに折り曲げた折り部で他方の二つ折りされた一方の長く延びる本体を挟むことで連結されて、この同じストラップ単体２つを組み合わせた複合体となり、ハンドストラップ等として使用される。
【図面の簡単な説明】
【０００７】
【図１】本願考案に係る携帯品用ストラップ単体の説明図。
【図２】本願考案に係る携帯品用ストラップ単体の実施例。
【図３】本願考案に係る携帯品用ストラップ複合体の実施例１（１）。
【図４】本願考案に係る携帯品用ストラップ複合体の実施例１（２）。
【図５】本願考案に係る携帯品用ストラップ複合体の実施例２（１）。
【図６】本願考案に係る携帯品用ストラップ複合体の実施例２（２）。
【考案を実施するための形態】
【０００８】
本願考案の実施形態を図面に基づいて説明する。
図１は、本願考案に係る携帯品用ストラップ単体１０（以下「ストラップ単体１０」）の全体図である。
ストラップ単体１０は、２か所の折れ部２１，２２（第１折れ部２１，第２折れ部２２）を設けて三つ折りされる帯状の本体２０を備える。その本体２０には、三つ折りされて当接される面どうしを着脱自在に接合する面ファスナー３０及び第１折れ部２１に携帯品を取り付ける取付部４０を備える。また、本体２０には、第２折り部２２に折り返し片２５を備える。
なお、図１（ａ）は、取付部４０に松葉ひも４１を用いたものであり、図１（ｂ）は、取付部４０にテープ状のひも４２を用いたものである。但し、取付部４０は、これらのものに限定されるものではない。
【０００９】
図２は、ストラップ単体１０の実施例を図示したものである。
当該実施例は、ストラップ単体１０のみを使用し、携帯品に取り付ける実施例である。
すなわち、本体２０をまず第２折れ部２２で折り曲げて（図２（ａ））、次に第１折れ部２１で折り曲げて三つ折りする（図２（ｂ））。このとき、第２折れ部２２に備えた折り返し片２５を折り返すとともに、本体２０の当接する面は全て面ファスナーで接合されているので、三つ折り状態は安定して維持される。
そして、最後に図示省略する携帯品の取付部に松葉ひも４１を取り付ける。こうして、ストラップ単体１０を単独のストラップ（ハンドストラップなど）として使用するものである。なお、図２の実施例は、取付部４０に松葉ひも４１を使用しているが、図１（ｂ）で図示したテープ状のひも４２を使用してもよいのは勿論である。
【００１０】
図３及び図４は、本願考案に係る携帯品用ストラップ複合体５０（以下「ストラップ複合体５０」）の実施例１を図示したものである。
当該実施例１は、ストラップ単体１０を他の部材と組み合わせて複合体として使用し、携帯品に取り付ける実施例である。
すなわち、ストラップ単体１０の第２折れ部２２に、ベルト部材６０の両端に設けられた輪状の連結部材６１を通すことで、ストラップ単体１０とベルト部材６０を連結し、ストラップ複合体５０を構成する。
そして、最後に携帯品８０の取付部に松葉ひも４１（図３）やテープ状のひも４２（図４）を取り付ける。こうして、ストラップ単体１０を他の部材と組み合わせた複合体のストラップ（ショルダーストラップやネックストラップなど）として使用するものである。
【００１１】
図５及び図６は、本願考案に係る携帯品用ストラップ複合体７０（以下「ストラップ複合体７０」）の実施例２を図示したものである。
当該実施例２は、ストラップ単体１０どうしを２つ組み合わせて複合体として使用し、携帯品に取り付ける実施例である。
すなわち、第１折れ部２１を折り曲げて二つ折りにしたストラップ単体１０どうしを、互いに折り曲げた第１折り部２１で他方の二つ折りされた一方の長く延びる本体２０を挟むことで連結し（図５（ａ））、この同じストラップ単体１０を２つ組み合わせたストラップ複合体７０を構成する（図５（ｂ））。
そして、最後に携帯品８０の取付部に松葉ひも４１を取り付ける（図６）。こうして、ストラップ単体１０を２つ組み合わせた複合体のストラップ（ハンドストラップなど）として使用するものである。なお、図５及び図６の実施例は、取付部４０に松葉ひも４１を使用しているが、図１（ｂ）で図示したテープ状のひも４２を使用してもよいのは勿論である。
【産業上の利用可能性】
【００１２】
本願考案は、カメラやビデオなどの携帯品に取り付けて使用されるストラップとして幅広く利用できるものである。
【符号の説明】
【００１３】
１０  携帯品用ストラップ単体（ストラップ単体）
２０  本体２０
２１  折れ部（第１折れ部）
２２  折れ部（第２折れ部）
２５  折り返し片
３０  面ファスナー
４０  取付部
４１  松葉ひも
４２  テープ状のひも
５０  携帯品用ストラップ複合体（ストラップ複合体）
６０  ベルト部材
６１  連結部材
７０  携帯品用ストラップ複合体（ストラップ複合体）
８０  携帯品
【図１】
0003191397.tif 000003
【図２】
0003191397.tif 000004
【図３】
0003191397.tif 000005
【図４】
0003191397.tif 000006
【図５】
0003191397.tif 000007
【図６】
0003191397.tif 000008